(57)【特許請求の範囲】
【請求項１】
作業者により担持される担持部材と、
前記担持部材に取り付けられ、密閉形圧縮機上部に設けられた吊り金具に対して着脱自在に係合可能な吊り下げ部材と、
を備え、前記吊り下げ部材に対して前記吊り金具を係合させることにより前記担持部材に前記圧縮機を吊り下げた状態で前記圧縮機を運搬可能な圧縮機運搬治具であって、
前記吊り下げ部材は、
前記担持部材に設けられた吊り下げ部材取付部に螺合される吊りボルトと、
この吊りボルトに着脱自在に取り付けられ、前記圧縮機の吊り金具と係合する係合部材と、
を含み、
前記圧縮機運搬治具は、
前記担持部材に着脱自在に取付可能であり、室外機のファンを支持するモータ軸の延長線上に前記担持部材の前記吊り下げ部材取付部を配置したときに前記ファンを保持するファン保持部材と、
前記吊り下げ部材取付部に螺合し、回転により前記担持部材からの突出量が可変する突出ボルトと、
を更に備え、前記吊り下げ部材取付部を前記モータ軸の延長線上に位置決めして前記突出ボルトを前記モータ軸に正対させ、かつ前記担持部材に取り付けた前記ファン保持部材で前記ファンを保持した状態で、前記吊り下げ部材取付部に螺合した突出ボルトを回転させてその突出量を増大させることにより、前記担持部材と前記モータ軸との相対距離を増大させ、これにより前記ファン保持部材を介して前記担持部材に保持された前記ファンを前記モータ軸に対して相対移動させるようにしたことを特徴とする圧縮機運搬治具。
【請求項２】
前記担持部材は棒状の部材であり、前記吊り下げ部材を取り付ける吊り下げ部材取付部がその担持部材の長手方向に沿って複数設けられていることを特徴とする請求項１記載の圧縮機運搬治具。
【請求項３】
前記突出ボルトとして前記吊りボルトを用いることを特徴とする請求項１記載の圧縮機運搬治具。
【請求項４】
前記担持部材は、前記ファン保持部材を取り付ける取付部位を、対象とするファン羽根枚数の種類に応じて複数備えることを特徴とする請求項１記載の圧縮機運搬治具。
【発明の詳細な説明】
【０００１】
【発明の属する技術分野】
本発明は、冷凍機、空調機などに使用される密閉形圧縮機の運搬のための治具に関する。
【０００２】
【従来の技術】
冷凍機や空調機の圧縮機の交換などの際には、圧縮機を空調機等の近傍まで運搬する必要がある。図６は、密閉形圧縮機の従来の運搬方法を説明するための図である。
【０００３】
図６に示すように、従来は、密閉形圧縮機２を木枠１に梱包したままの状態で運搬していた。このような方式は、台車を使用できる場所では梱包状態のまま台車に乗せて運搬すればよいので問題はなかった。
【０００４】
【発明が解決しようとする課題】
しかしながら、業務用の冷凍機や空調機の密閉形圧縮機は、たとえば４０ｋｇ〜８０ｋｇなどになる重量物であり、階段や屋根の上など台車が使用できないところでは、作業者５が何人かで木枠１を持って移動しなければならず、作業性が悪かった。
【０００５】
また、木枠１は圧縮機２を取り出す際に分解するので、木片等のゴミが発生するなどの問題がある。食品工場などでは、木くずや埃の発生が厳禁の場所があり、このような場所では木枠１の分解に細心の注意が要求され、作業を非常に困難にしていた。
【０００６】
また、木枠１を分解した後も、古い圧縮機２を取り外したり、新しい圧縮機を取り付けたりする際に、圧縮機２上部に設けられた吊り金具２ａをウォータープライヤなどで掴んで動かす必要があり、作業がきわめて困難であった。
【０００７】
また、冷凍機や空調機の室外機の送風機モータを交換する際などには、プロペラファンをモータ軸から取り外す必要がある。ところがモータ軸に錆ができていたり、異物が噛み込んでいたりするなどで、ファンがモータ軸から非常に抜けにくくなっている場合がよくある。このような場合、従来は、図７に示すように、作業者５がハンマー６などで、プロペラファンの基部３に衝撃を与えて抜けやすくするなどの作業で対応していた。この方式ではファンの基部３に衝撃を与えることが重要であるが、一般にファン基部３の直近にはモータ本体４があり、さらにファンの羽根３ａもあるので、ファン基部３に効果的に衝撃を与えることは困難であった。また、この作業では、衝撃を与えるため、ファンその他の部分の破損を招く可能性もあった。
【０００８】
本発明は、このような従来の問題点を解決するためになされたものであり、密閉形圧縮機の運搬の作業性を向上させることができる圧縮機運搬治具を提供することを目的とする。また本発明は、この運搬治具を利用して室外機のファンの取り外し作業を容易にする仕組みを提供することを目的とする。
【０００９】
【課題を解決するための手段】
上記目的を達成するため、本発明に係る圧縮機運搬治具は、作業者により担持される担持部材と、前記担持部材に取り付けられ、密閉形圧縮機上部に設けられた吊り金具に対して着脱自在に係合可能な吊り下げ部材と、を備える。この構成によれば、吊り下げ部材に対して圧縮機の吊り金具を係合させることにより、担持部材に圧縮機を吊り下げた状態で運搬することができる。ここで、前記吊り下げ部材は、前記担持部材に設けられた吊り下げ部材取付部に螺合される吊りボルトと、この吊りボルトに着脱自在に取り付けられ、前記圧縮機の吊り金具と係合する係合部材と、を含む。そして、圧縮機運搬治具は、前記担持部材に着脱自在に取付可能であり、室外機のファンを支持するモータ軸の延長線上に前記担持部材の前記吊り下げ部材取付部を配置したときに前記ファンを保持するファン保持部材と、前記吊り下げ部材取付部に螺合し、回転により前記担持部材からの突出量が可変する突出ボルトとを備える。この態様では、吊り下げ部材取付部を前記モータ軸の延長線上に位置決めして前記突出ボルトを前記モータ軸に正対させ、かつ前記担持部材に取り付けた前記ファン保持部材で前記ファンを保持した状態で、前記吊り下げ部材取付部に螺合した突出ボルトを回転させてその突出量を増大させることにより、前記担持部材と前記モータ軸との相対距離を増大させることで、前記ファン保持部材を介して前記担持部材に保持された前記ファンを前記モータ軸に対して相対移動させるようにできる。したがって、打撃を与えることなくファンをモータ軸から取り外すことができる。
【００１０】
本発明の好適な態様では、前記担持部材は棒状の部材であり、前記吊り下げ部材を取り付ける吊り下げ部材取付部がその担持部材の長手方向に沿って複数設けられている。この態様では、吊り下げ部材を取り付ける部位（取付部）を変えることで、作業環境に合わせて作業者が担持部材を持ちやすくすることができる。
【００１３】
さらに好適な態様では、前記突出ボルトとして前記吊りボルトを用いる。これにより部品点数を削減できる。
【００１４】
また好適な態様では、前記担持部材は、前記ファン保持部材を取り付ける取付部位を、対象とするファン羽根枚数の種類に応じて複数備える。これにより、１つの担持部材で複数種類のファンの取り外しに対応することができる。
【００１５】
【発明の実施の形態】
以下、本発明の実施の形態（以下実施形態という）について、図面に基づいて説明する。
【００１６】
図１は、本発明に係る圧縮機運搬治具を説明するための図であり、（ａ）はこの治具に密閉形圧縮機２に取り付けた状態を示す図、（ｂ）はこの治具の運搬棒７の長手方向中央部での断面図である。
【００１７】
この実施形態の圧縮機運搬治具は、大きく分けて運搬棒７とそれに取り付けられる吊り下げ部材の２つの部材から構成される。吊り下げ部材は、主要部品として、吊りボルト８とシャックル１２を含む。
【００１８】
吊りボルト８は、図２に示すように一方端が錐状部８Ａとして形成され、他方端にはシャックル１２のピン１２ａが挿通されるピン穴８Ｂが形成されている。
【００１９】
吊りボルト８は、運搬棒７の長手方向中央部に設けられたネジ穴１３Ａに螺合される。ネジ穴１３Ａは運搬棒７を貫通しており、その貫通穴の一方の側には埋込ナット９の形状に合ったナット収容部が形成されている。吊りボルト８は、このナット収容部側に錐状部８Ａを向けてネジ穴１３Ａに螺合される。そして、錐状部８Ａ側に螺合された埋込ナット９，平ワッシャ１０，ナット１１により、吊りボルト８の抜け止めと、回転防止が図られている。ネジ穴１３Ａは、吊り下げ部材（吊りボルト８及びシャックル１２）を取り付ける取付部として機能している。
【００２０】
このように吊りボルト８を運搬棒７中央のネジ穴１３Ａに螺合して固定し、シャックル１２のＵ字部を密閉形圧縮機２の吊り金具２ａの穴に通した後、ピン１２ａを吊りボルト８のピン穴８Ｂに通してＵ字部を留める。これにより、図１に示すごとく、密閉形圧縮機２が、シャックル１２及び吊りボルト８を介して運搬棒７から吊り下げられる状態となる。
【００２１】
この状態で、例えば２人の作業員が、運搬棒７の前端近傍及び後端近傍をそれぞれ持つことにより、圧縮機２を持ち上げて運搬することができる。特に、駕籠のように運搬棒７の両端を作業員が肩で担いで運搬できるので、木枠のまま運搬するのに比べ、はるかに良好な作業性が得られる。また、この運搬治具を用いれば、圧縮機設置場所まで木枠を持ち込まずに済むので、木枠の分解に関する上述の諸問題を回避できる。
【００２２】
運搬棒７の長さは、例えば二人持ちならば、吊り下げた圧縮機２の前後にそれぞれ一人の作業員が入って自然に担げる程度のものにすればよい。運搬棒７は、例えば木製品として作成することができる。木製とすれば、軽量であり、扱いやすい。
【００２３】
この運搬治具は、既に設置してある密閉形圧縮機２を取り外す際にも利用できる。すなわち、運搬時と同様にして、設置した圧縮機２に対して図１（ａ）に示すように運搬治具を取り付け、作業員が運搬棒７を持ち上げることにより、その圧縮機２を持ち上げて設置場所から取り外すことができる。
【００２４】
なお、圧縮機２の設置場所が狭いと、運搬棒７がつかえてうまく作業できない場合もある。そのような狭い場所での圧縮機２の設置や取り外しを容易にするため、本実施形態の治具では、運搬棒７の長手方向中央部のネジ穴１３Ａのほかに、長手方向端部側にオフセットした位置に、吊りボルト８用のネジ穴１３Ｂに設けている。狭い場所での設置や取り外しの際には、図３に示すように、このネジ穴１３Ｂに吊りボルト８を螺合固定して、シャックル１２から圧縮機２を吊り下げる。これにより、運搬棒７が狭い設置場所につかえるなどの問題を回避することができる。
【００２５】
次に、この圧縮機運搬治具を用いた室外機のプロペラファン取り外し作業について、図４及び図５を参照して説明する。図４はこのファン取り外し作業時の運搬治具及びファン周りの状況を示す側面図であり、図５はこのときの状況をファンの上側から（運搬治具側からファンに向かう向きに）見た図である。図４，図５において、図１に示した構成要素、部位に相当する要素、部位には、図１と同じ符号を付す。
【００２６】
なお、この例では、ファンがモータ２７の上側に装着されているものとして説明するが、本実施形態の効果がこのような配置以外の場合にも得られることは、以下の説明から明らかであろう。
【００２７】
ファン取り外しの際には、図４に示すように、ファンが装着されたモータ軸２６の延長線上に吊りボルト８が来るように運搬棒７を位置決めし、運搬棒７を上下逆向きにして吊りボルト８の錐状部８Ａを下向きにして、モータ軸２６の先端に取り付けられたボルト２５の頭部にその錐状部８Ａを当接させる。ボルト２５の頭部には、すり鉢状の凹部２５Ａが形成されており、この凹部２５Ａに吊りボルト８の錐状部８Ａが係合することで、モータ軸２６に対する治具の水平方向の位置ずれを防止する。なお、シャックル１２は、作業の邪魔にならないよう、吊りボルト８から取り外しておく。
【００２８】
この例では、ファン基部２０の下部を引掛け棒２２で引っ掛けることにより、ファンを保持する。引掛け棒２２は、一方端がファン基部２０に引っ掛かる鉤状部２２ａとなっており、他方端はネジ部２２ｂとなっている。このネジ部２２ｂにより、引掛け棒２２が運搬棒７に対して固定される。引掛け棒２２のネジ部２２ｂを運搬棒７に設けられたネジ穴３０Ａに螺合し、平ワッシャ２３とナット２４で運搬棒７に対して固定する。
【００２９】
なお、図示の例では、３枚羽根のファンを対象としており、羽根２０ａを避けて三方から引掛け棒２２によりファン基部２０を保持できるようにしている。このため、この例では、図５に示すように、アングル２１を運搬棒７に対して固定し、そのアングル２１の両端部に引掛け棒２２を固定するようにしている。アングル２１自体は、運搬棒７のネジ穴２９Ａ（図１参照）に対し、留めボルト２９で固定される。このような構造により、アングル２１に固定された２本の引掛け棒２２とネジ穴３０Ａに固定された１本の引掛け棒２２により、三方からファン基部２０を引っ掛けて保持することができる。なお、ネジ穴２９Ａ及び３０Ａの位置は、吊りボルト８をモータ軸２６の延長線上に位置決めした際に、運搬棒７及びアングル２１に取り付けた引掛け棒２２がファン基部２０の外周にほぼ接するようになるよう、決められている。
【００３０】
運搬治具をファン基部２０に対して取り付けて図４，５に示すような状態としたところで、吊りボルト８をモンキーレンチなどで回して吊りボルト８を下方に下げることで、運搬棒７に対する吊りボルト８の下方への突出量が増える。この結果、吊りボルト８によりモータ軸２６が運搬棒７に対して相対的に押し下げられる（モータが固定されていれば、運搬棒７が相対的に持ち上がる）。これにより、引掛け棒２２に保持されたファン基部２０がモータ２７から引き離される方向に移動する。モータ軸２６が錆びていたり、モータ軸２６とファンとの間に異物が噛み込んでいたりする場合でも、このような仕組みによりファンをモータ軸２６に対して相対的に持ち上げることで、そのような錆や異物によるファン・モータ軸２６間の結合を解除することができ、ファンをモータ軸２６から抜けやすくすることができる。
【００３１】
この方式によれば、打撃による衝撃を用いないので、ファンやその周辺部材を損傷させずに、ファンをモータ軸２６から抜けやすくすることができる。したがって、ファンが損傷しないので、モータ交換の際、元のモータに取り付けられていたファンを再利用することができるので、モータ交換のコストを低減できる。また、この例では、圧縮機運搬治具の運搬棒７及び吊りボルト８をそのまま用いてファン取り外しができる。したがって、圧縮機の運搬とファンの取り外しをほぼ共通の部材で行うことができ、作業に対する必要な部品点数を低減することができる。
【００３２】
なお、図４，５の例では、３枚羽根のファンの取り外しを例にとったが、室外機には４枚羽根のファンもよく用いられる。４枚羽根のファンの取り外しの場合は、アングル２１を用いる代わりに、ネジ穴２８Ａ（図１及び４参照）に引掛け棒２２を取り付け、ネジ穴３０Ａに取り付けた引掛け棒２２と２本でファン基部２０を保持するようにすればよい。このように、運搬棒７にファンの羽根枚数種類に応じて複数種類の引掛け棒取付部位を設けておくことで、この治具を羽根枚数の異なるファンに対して用いることができる。
【図面の簡単な説明】
【図１】  本発明に係る圧縮機運搬治具を説明するための図である。
【図２】  吊りボルトを示す図である。
【図３】  実施形態の運搬治具を狭い場所で用いる場合の使用形態を説明するための図である。
【図４】  室外機ファン取り外し作業時の運搬治具及びファン周りの状況を示す側面図である。
【図５】  室外機ファン取り外し作業時の運搬治具及びファン周りの状況を、上側から見た図である。
【図６】  密閉形圧縮機の従来の運搬方法を説明するための図である。
【図７】  従来のファン取り外し作業を説明するための図である。
【符号の説明】
２  密閉形圧縮機、２ａ  吊り金具、７  運搬棒、８  吊りボルト、１２  シャックル、１３Ａ  ネジ穴、２０  ファン基部、２１  アングル、２２  引掛け棒、２６  モータ軸、２７  モータ。
【図１】
0004176326.tif 000002
【図２】
0004176326.tif 000003
【図３】
0004176326.tif 000004
【図４】
0004176326.tif 000005
【図５】
0004176326.tif 000006
【図６】
0004176326.tif 000007
【図７】
0004176326.tif 000008